(57)【要約】  ユーザにより［開く］ボタンが押下されると、受付部（２５）が［開く］ボタンの押下を受け付け、展開部（２６）が押下された［開く］ボタンに対応するフォルダを展開して表示ウィンドウに表示する。そして、復号制御部（２７）がフォルダ内のファイルを所定の順番で復号化し、暗号化されたファイルを復号化されたファイルで置き換える。そして、優先部（２８）が、復号化の最中にユーザが表示ウィンドウにおいてダブルクリックしたファイルを優先的に復号化する。
2017006438.tif 000002
【特許請求の範囲】
【請求項１】
複数の暗号化されたファイルが格納されたフォルダを展開する展開部と、
前記複数の暗号化されたファイルを所定の順番に従って復号化すると共に、該暗号化されたファイルを復号化されたファイルに置き換える置換部と、
前記暗号化されたファイルをユーザが選択した場合に、前記所定の順番に従って復号化されるファイルの復号処理を中断すると共に、選択された前記暗号化されたファイルを復号化する優先部と
を備えることを特徴とする情報処理装置。
【請求項２】
前記置換部は、前記暗号化されたファイルの名称を含むダミーファイルを表示した状態で該暗号化されたファイルを所定の順番に従って復号化すると共に、該ダミーファイルを復号化されたファイルに置き換え、
前記優先部は、前記暗号化されたファイルを復号化する処理を中断すると共に選択されたダミーファイルに対応する暗号化されたファイルを復号化する
ことを特徴とする請求項１に記載の情報処理装置。
【請求項３】
前記優先部は、前記ダミーファイルに対応する暗号化されたファイルを復号化して開くことを特徴とする請求項２に記載の情報処理装置。
【請求項４】
前記優先部は、前記ダミーファイルに対応する暗号化されたファイルを復号化して開くと、中断した復号処理を再開することを特徴とする請求項３に記載の情報処理装置。
【請求項５】
コンピュータが、
複数の暗号化されたファイルが格納されたフォルダを展開し、
前記複数の暗号化されたファイルを所定の順番に従って復号化すると共に、該暗号化されたファイルを復号化されたファイルに置き換え、
前記暗号化されたファイルをユーザが選択した場合に、前記所定の順番に従って復号化されるファイルの復号処理を中断すると共に、選択された前記暗号化されたファイルを復号化する
処理を実行することを特徴とする復号化方法。
【請求項６】
コンピュータに、
複数の暗号化されたファイルが格納されたフォルダを展開し、
前記複数の暗号化されたファイルを所定の順番に従って復号化すると共に、該暗号化されたファイルを復号化されたファイルに置き換え、
前記暗号化されたファイルをユーザが選択した場合に、前記所定の順番に従って復号化されるファイルの復号処理を中断すると共に、選択された前記暗号化されたファイルを復号化する
処理を実行させることを特徴とする復号化プログラム。
【発明の詳細な説明】
【技術分野】
【０００１】
本発明は、情報処理装置、復号化方法及び復号化プログラムに関する。
【背景技術】
【０００２】
機密文章等の機密データを第三者に盗み見られないようにするために、ユーザは、機密データを暗号化して格納し、使用する際に復号化する。このような暗号化に関する技術には、未暗号化オブジェクトに組み合わされているアイコンを暗号化ワーク・エリアにドロップして未暗号化オブジェクトを暗号化することで、ユーザに煩わしい操作を行わせることなく暗号化を可能とする従来技術がある。【０００３】
また、データファイルのタイトル情報を一覧にしたタイトルリストを表示するときに、セキュリティ設定がされていると判定したデータファイルはそのタイトル情報に代えて所定情報を表示することで、データファイルの秘匿性を確保する従来技術がある。
【先行技術文献】
【特許文献】
【０００４】
【特許文献１】特開平７−９２９０８号公報
【特許文献２】特開２０１０−１８６３４８号公報
【発明の概要】
【発明が解決しようとする課題】
【０００５】
暗号化されたフォルダに含まれる複数のファイルのうちの１つを開きたい場合に、ユーザは、ファイルの復号の順番を決めることができないため、開きたいファイルが復号化される順番まで待つ必要があり、ファイルを迅速に開くことができないという問題がある。【０００６】
本発明は、１つの側面では、暗号化されたフォルダに含まれる特定のファイルの復号が完了するまでの時間を短縮し、ユーザが特定のファイルを迅速に開けるようにすることを目的とする。
【課題を解決するための手段】
【０００７】
本願の開示する情報処理装置は、１つの態様において、展開部と置換部と優先部とを備える。前記展開部は、複数の暗号化されたファイルが格納されたフォルダを展開する。前記置換部は、前記複数の暗号化されたファイルを所定の順番に従って復号化すると共に、該暗号化されたファイルを復号化されたファイルに置き換える。前記優先部は、前記暗号化されたファイルをユーザが選択した場合に、前記所定の順番に従って復号化されるファイルの復号処理を中断すると共に、選択された前記暗号化されたファイルを復号化する。
【発明の効果】
【０００８】
１実施態様によれば、ユーザは暗号化されたフォルダに含まれる特定のファイルを迅速に開くことができる。
【図面の簡単な説明】
【０００９】
【図１】図１は、実施例に係る情報処理装置の機能構成を示す図である。
【図２】図２は、対象情報記憶部の一例を示す図である。
【図３】図３は、登録画面の一例を示す図である。
【図４】図４は、登録後の画面を示す図である。
【図５】図５は、ユーザが展開及び復号化を指示するウィンドウの例を示す図である。
【図６】図６は、展開されるフォルダを表示するウィンドウを示す図である。
【図７】図７は、表示ウィンドウの表示例を示す図である。
【図８】図８は、ユーザによる優先復号の指定例を示す図である。
【図９】図９は、ユーザにより指定されたファイルの優先復号を示す図である。
【図１０】図１０は、優先的に復号されたファイルが開かれてウィンドウに表示された画面を示す図である。
【図１１】図１１は、優先復号の終了後に復号制御部が所定の順番に基づく復号化処理を再開したときの画面を示す図である。
【図１２】図１２は、再開された復号化処理が進捗している状況を示す図である。
【図１３】図１３は、展開及び優先復号処理のフローを示すフローチャートである。
【図１４】図１４は、実施例に係る復号化プログラムを実行する情報処理装置のハードウェア構成を示す図である。
【発明を実施するための形態】
【００１０】
以下に、本願の開示する情報処理装置、復号化方法及び復号化プログラムの実施例を図面に基づいて詳細に説明する。なお、この実施例は開示の技術を限定するものではない。
【実施例】
【００１１】
まず、実施例に係る情報処理装置の機能構成について説明する。図１は、実施例に係る情報処理装置の機能構成を示す図である。図１に示すように、実施例に係る情報処理装置１は、隠蔽部２と、データ記憶部３とを有する。【００１２】
隠蔽部２は、ユーザが指定したフォルダ及びファイルを隠蔽して見えないようにしたり、逆に隠蔽したフォルダ及びファイルを復元して元の場所に戻したりする。ユーザは、例えば、他人に見られたくないフォルダ及びファイルを隠蔽して保管し、自分が見るときだけ一時的に復元する。【００１３】
データ記憶部３は、非隠蔽データ記憶部３ａと隠蔽データ記憶部３ｂとを有する。非隠蔽データ記憶部３ａは、隠蔽されていないフォルダ及びファイルのデータをフォルダの階層関係の情報と共に記憶する。【００１４】
隠蔽データ記憶部３ｂは、隠蔽を指定されたフォルダ及びファイルのデータを復元先の場所の情報と共に記憶する。隠蔽データ記憶部３ｂは、セキュリティレベルに基づいて、データを暗号化して記憶する場合と、データは暗号化することなくフォルダ及びファイルの情報だけを暗号化して記憶する場合がある。なお、データ記憶部３は、ＨＤＤ（Hard  Disk  Drive）等の不揮発性の記憶装置を用いて実現される。【００１５】
隠蔽部２は、フォルダ及びファイルの隠蔽及び復元に必要なデータを記憶する記憶部２ａと、記憶部２ａに記憶されたデータを用いてフォルダ及びファイルの隠蔽及び復元を行う制御部２ｂとを有する。【００１６】
記憶部２ａは、対象情報記憶部２ｃを有する。対象情報記憶部２ｃは、隠蔽対象のフォルダ及びファイルの情報を記憶する。図２は、対象情報記憶部２ｃの一例を示す図である。図２に示すように、対象情報記憶部２ｃは、識別子、復元場所、種類、サイズ、隠蔽状態を隠蔽対象毎に記憶する。【００１７】
識別子は、隠蔽対象のフォルダ又はファイルの名前である。復元場所は、隠蔽対象が復元されたときに格納されるフォルダへのパスである。種類は、隠蔽対象がフォルダであるかファイルであるかを示す。【００１８】
サイズは、隠蔽対象のフォルダ又はファイルの大きさである。隠蔽状態は、隠蔽対象のフォルダ又はファイルが暗号化されて隠蔽された状態にあるか否かを示し、隠蔽された状態である場合には「オン」であり、隠蔽されていない状態である場合には「オフ」である。【００１９】
例えば、名前がDocumentである隠蔽対象は、復元されるとC:\Users\YAMADA03\Desktop\MySecretの下に格納されるフォルダであり、大きさは６７９ＭＢ（メガバイト）であり、隠蔽されていない状態にある。【００２０】
制御部２ｂは、認証部２１と、管理部２２と、暗号化部２３と、復号化部２４とを有する。認証部２１は、隠蔽部２の機能を利用するユーザの認証を行う。認証により許可されたユーザだけが隠蔽部２を利用して隠蔽対象にアクセスすることができる。【００２１】
管理部２２は、表示装置にユーザとの対話用ウィンドウを表示し、ユーザと対話して隠蔽対象の登録、解除、展開等を行う。ここで、展開とは、隠蔽されたフォルダに含まれるファイル及びフォルダを特定することである。管理部２２は、表示制御部２２ａと、登録部２２ｂと、解除部２２ｃと、展開表示部２２ｄとを有する。【００２２】
表示制御部２２ａは、表示装置にユーザとの対話用ウィンドウを表示し、ユーザによる操作を受け付ける。登録部２２ｂは、ユーザにより指定されたフォルダ又はファイルを隠蔽対象として登録する。すなわち、登録部２２ｂは、ユーザにより指定されたフォルダ又はファイルの情報を隠蔽対象として対象情報記憶部２ｃに格納する。【００２３】
図３は、登録画面の一例を示す図である。認証部２１による認証が成功すると、表示制御部２２ａは、図３に示すように、対話用ウィンドウ４１を表示する。対話用ウィンドウ４１は、隠蔽用のフォルダを表示するウィンドウであり、既に隠蔽対象として登録されているフォルダ及びファイルが一覧表示される。図４において、「名前」の欄は隠蔽対象の名前を示し、「種類」の欄は隠蔽対象がフォルダ（ファイルフォルダ）であるかファイルであるかを示し、「サイズ」の欄は隠蔽対象の大きさを示し、「隠す」の欄は隠蔽対象の隠蔽状態を示す。例えば、図４では、Secretdocという名前のファイルが隠蔽対象として登録されている。【００２４】
ユーザは、対話用ウィンドウ４１内にフォルダ又はファイルをドラッグすることで隠蔽対象として登録することができる。あるいは、ユーザは、隠蔽したいフォルダ又はファイルを選択し、ファイル・フォルダの追加を指示するボタン４０を押下することで隠蔽対象として登録することができる。図３は、Documentという名前のフォルダが対話用ウィンドウ４１内にドラッグされ隠蔽対象として登録される場合を示す。【００２５】
図４は、登録後の画面を示す図である。図４に示すように、登録されたDocumentの情報が登録データ一覧として対話用ウィンドウ４１に表示される。図４では、Documentの隠蔽状態は「オフ」であるので、Documentは隠蔽されていない状態にある。ユーザは、隠蔽対象の「隠す」の欄にあるボタン４２を押下することで、隠蔽状態を「オフ」から「オン」、又は「オン」から「オフ」に切り替えることができる。隠蔽状態が「オフ」から「オン」になると、対話用ウィンドウ４１にドラッグされた隠蔽対象は元のフォルダにおいてダミーフォルダ又はダミーファイルに置き換えられ、元のフォルダの表示ウィンドウ４３からアイコン４４が消去される。逆に、隠蔽状態が「オン」から「オフ」になると、元のフォルダの表示ウィンドウ４３にアイコン４４が表示される。【００２６】
ここで、ダミーフォルダは、元のフォルダとフォルダ名は同じであるがファイルを含まないフォルダであり、ダミーファイルは、元のファイルとファイル名は同じであるがデータを含まないファイルである。なお、以下では、ダミーフォルダ及びダミーファイルの総称として「ダミー」を用いる。【００２７】
登録部２２ｂは、ユーザにより隠蔽状態が「オフ」から「オン」に指示されると、隠蔽対象を暗号化して非隠蔽データ記憶部３ａから隠蔽データ記憶部３ｂに移し、非隠蔽データ記憶部３ａには、隠蔽対象の代わりにダミーを記憶させる。また、登録部２２ｂは、ユーザにより隠蔽状態が「オン」から「オフ」に指示されると、隠蔽対象を復号化して隠蔽データ記憶部３ｂから非隠蔽データ記憶部３ａの元のフォルダの下に移し、ダミーと置き換える。【００２８】
図１に戻って、解除部２２ｃは、フォルダ又はファイルの隠蔽を解除する。すなわち、解除部２２ｃは、ユーザに解除を指定されたフォルダ又はファイルの情報を対象情報記憶部２ｃから削除する。また、解除部２２ｃは、ユーザに解除を指定されたフォルダ又はファイルが隠蔽されている場合には、フォルダ又はファイルを復号化して隠蔽データ記憶部３ｂから非隠蔽データ記憶部３ａの元のフォルダの下に移動し、ダミーと置き換える。【００２９】
ユーザは、解除対象を図４に示した対話用ウィンドウ４１から選択して「登録解除」と表示されたボタン４５を押下することで、フォルダ又はファイルの隠蔽を解除することができる。また、ユーザは、「すべてを隠す」と表示されたボタン４６を押下することで、すべての隠蔽対象の状態を「オン」にすることができる。【００３０】
展開表示部２２ｄは、ユーザに指定されたフォルダを展開して表示する。そして、展開表示部２２ｄは、フォルダに含まれるファイルを所定の順番で復号化する。ここで、所定の順番とは、例えば、名前の順番である。展開表示部２２ｄは、受付部２５と、展開部２６と、復号制御部２７と、優先部２８とを有する。【００３１】
受付部２５は、ユーザからフォルダの展開及び復号化の指示を受け付け、受け付けたフォルダの隠蔽状態を確認する。展開部２６は、ユーザに指定されたフォルダの隠蔽状態が「オン」である場合にフォルダを展開し、フォルダを表示するウィンドウを起動する。【００３２】
図５は、ユーザが展開及び復号化を指示するウィンドウの例を示す図である。ユーザは、図５において、「開く」と表示されたボタン４７を押下することにより対応するフォルダの展開を指示する。図５では、Documentが展開される。なお、以下では、「開く」と表示されたボタン４７を［開く］ボタン４７と呼ぶこととする。【００３３】
図６は、展開されるフォルダを表示するウィンドウを示す図である。図６に示すように、ユーザにより指定されたフォルダは、表示ウィンドウ４３に表示され、自動的に開かれる。図６では、Documentが表示ウィンドウ４３に表示され、自動的に開かれる。【００３４】
復号制御部２７は、展開部２６により展開されたフォルダに含まれるフォルダ及びファイルを復号化部２４を用いて所定の順番で復号化し、ダミーファイルと置き換える。図７は、表示ウィンドウ４３の表示例を示す図である。図７では、Documentに含まれるファイルのアイコンが名前と共に表示される。【００３５】
図７において、復号化が完了したファイルについては、ファイルの種類を示すアイコン４８が表示され、復号化が完了していないファイルについては、ダミーファイルを示すダミーアイコン４９が表示される。復号化が完了すると、ダミーアイコン４９がファイルの種類を示すアイコン４８に変化する。【００３６】
優先部２８は、復号制御部２７により復号化処理が行われている最中にユーザが復号化されていないファイルを選択すると、所定の順番に基づく復号化処理を中断し、選択されたファイルを優先的に復号化して表示する。そして、優先部２８は、優先処理を終了すると、所定の順番に基づく復号化処理を再開する。【００３７】
図８は、ユーザによる優先復号の指定例を示す図であり、図９は、ユーザにより指定されたファイルの優先復号を示す図である。図８に示すように、Documentに含まれるファイルが順番に復号化されている最中に、ユーザは、優先的に復号したい特定のファイル５０をダブルクリックする。すると、図９に示すように、ユーザにより指定されたファイル５０が優先的に復号化される。【００３８】
図１０は、優先的に復号されたファイル５０が開かれてウィンドウ５１に表示された画面を示す図である。図１０では、ユーザによって優先復号が指定されたDocument015がウィンドウ５１に表示される。【００３９】
図１１は、優先復号の終了後に復号制御部２７が所定の順番に基づく復号化処理を再開したときの画面を示す図である。図１１に示すように、対話用ウィンドウ４１に復号化処理の進捗状況がスライダ５２によって表示される。【００４０】
図１２は、再開された復号化処理が進捗している状況を示す図である。図１２に示すように、優先処理されたファイル５０以外のファイルが順番に復号化され、ダミーファイルが復号化されたファイルで置き換えられるため、ダミーファイルを示すアイコン４９の数が少なくなり、ファイルの種類を示すアイコン４８が増加する。【００４１】
図１に戻って、暗号化部２３は、ユーザにより隠蔽状態が「オフ」から「オン」に指示されたフォルダ又はファイルを暗号化する。暗号化部２３は、セキュリティレベルに基づいてデータを暗号化するか、又はデータを暗号化することなくフォルダ又はファイルの名前を暗号化する。【００４２】
復号化部２４は、ユーザにより隠蔽状態が「オン」から「オフ」に指示されたフォルダ又はファイルを復号化する。復号化部２４は、セキュリティレベルに基づいてデータを復号化するか、又はデータを復号化することなくフォルダ又はファイルの名前を復号化する。また、復号化部２４は、復号制御部２７の指示に基づいてファイルを復号化する。【００４３】
次に、展開及び優先復号処理のフローについて説明する。図１３は、展開及び優先復号処理のフローを示すフローチャートである。図１３に示すように、表示制御部２２ａが、対話用ウィンドウ４１に隠蔽対象の一覧を表示し（ステップＳ１）、受付部２５が、ユーザによる［開く］ボタン４７の押下を受け付ける（ステップＳ２）。【００４４】
そして、受付部２５は、押下された［開く］ボタン４７に対応するフォルダの隠蔽状態が「オン」であるか否かを確認し（ステップＳ３）、「オン」でない場合には、展開及び優先復号処理を終了する。【００４５】
一方、「オン」である場合には、展開部２６が、押下された［開く］ボタン４７に対応するフォルダを展開して表示ウィンドウ４３に表示する（ステップＳ４）。展開部２６は、復号前のファイルはファイル名とダミーアイコン４９で表示する。【００４６】
そして、復号制御部２７が、表示ウィンドウ４３にダミーアイコン４９が表示されたファイルを所定の順番で復号化し（ステップＳ５）、ダミーファイルと置き換える。そして、復号化の最中、特定のファイルをユーザがダブルクリックすると、優先部２８が、ファイルのダブルクリックを受け付け（ステップＳ６）、復号制御部２７による復号を中断する（ステップＳ７）。【００４７】
そして、優先部２８は、ダブルクリックされたファイルが復号化済みであるか否かを判定し（ステップＳ８）、復号化されていない場合には、ダブルクリックされたファイルについて優先的に復号を実行し（ステップＳ９）、優先的に復号したファイルを開く（ステップＳ１０）。そして、優先部２８は、中断した復号を再開する（ステップＳ１１）。【００４８】
一方、ダブルクリックされたファイルが復号化済みである場合には、優先部２８は、ファイルを開き（ステップＳ１２）、中断した復号を再開する（ステップＳ１１）。【００４９】
このように、表示制御部２２ａが対話用ウィンドウ４１を表示する。そして、受付部２５が、ユーザによる［開く］ボタン４７の押下を対話用ウィンドウ４１で受け付け、ユーザに押下された［開く］ボタン４７に対応するフォルダの隠蔽状態を確認する。【００５０】
そして、隠蔽状態が「オン」であると、展開部２６が、ユーザに押下された［開く］ボタン４７に対応するフォルダを展開して表示ウィンドウ４３に表示する。そして、復号制御部２７がフォルダ内のファイルを所定の順番で復号化する。【００５１】
したがって、ユーザは、復号して利用したいファイルを表示ウィンドウ４３から簡単に見つけることができ、利用したいファイルを探す時間を短縮することができる。【００５２】
また、優先部２８は、復号化の最中にユーザが表示ウィンドウ４３においてダブルクリックしたファイルを優先的に復号化して開く。したがって、ユーザは、復号して利用したいファイルを表示ウィンドウ４３で指定することで、他のファイルの復号処理による待ち時間を減らすことができる。【００５３】
なお、ここでは、展開表示部２２ｄが、隠蔽状態が「オン」であるフォルダを表示して復号化する場合について説明したが、展開表示部２２ｄは、隠蔽状態が「オン」であるフォルダを復号化すると共に、表示してもよい。また、展開表示部２２ｄは、隠蔽状態が「オン」であるファイルを復号化して表示してもよい。【００５４】
上述してきたように、実施例では、ユーザにより［開く］ボタン４７が押下されると、展開部２６が押下された［開く］ボタン４７に対応するフォルダを展開して表示ウィンドウ４３に表示する。そして、復号制御部２７がフォルダ内のファイルを所定の順番で復号化し、暗号化されたファイルを復号化されたファイルで置き換える。【００５５】
そして、優先部２８が、復号化の最中にユーザが表示ウィンドウ４３においてダブルクリックしたファイルを優先的に復号化する。したがって、ユーザは、暗号化されたフォルダに含まれる特定のファイルを迅速に利用することができる。【００５６】
また、実施例では、復号制御部２７は、表示ウィンドウ４３にダミーファイルとして表示された暗号化ファイルを復号化したファイルで置き換える。したがって、ユーザは、復号化されたファイルと復号化されていないファイルを簡単に把握することができる。【００５７】
また、実施例では、優先部２８は、優先して復号化したファイルを自動的に開く。したがって、ユーザは、復号が終了すると復号化したファイルを直ちに利用することができる。【００５８】
また、実施例では、優先部２８は、優先して復号化したファイルを自動的に開いた後、中断した復号処理を再開する。したがって、ユーザは、指定したファイルを優先的に復号した場合にも、［開く］ボタン４７で指定したフォルダ全体を復号することができる。【００５９】
なお、実施例では、展開表示部２２ｄについて説明したが、展開表示部２２ｄが有する構成をソフトウェアによって実現することで、同様の機能を有する復号化プログラムを得ることができる。そこで、復号化プログラムを実行する情報処理装置１のハードウェア構成について説明する。【００６０】
図１４は、実施例に係る復号化プログラムを実行する情報処理装置１のハードウェア構成を示す図である。図１４に示すように、情報処理装置１は、メインメモリ６１と、ＣＰＵ６２と、ＬＡＮ（Local  Area  Network）インタフェース６３と、ＨＤＤ６４とを有する。また、情報処理装置１は、スーパーＩＯ（Input  Output）６５と、ＤＶＩ（Digital  Visual  Interface）６６と、ＯＤＤ（Optical  Disk  Drive）６７とを有する。【００６１】
メインメモリ６１は、プログラムやプログラムの実行途中結果などを記憶するメモリである。ＣＰＵ６２は、メインメモリ６１からプログラムを読出して実行する中央処理装置である。ＣＰＵ６２は、メモリコントローラを有するチップセットを含む。【００６２】
ＬＡＮインタフェース６３は、情報処理装置１をＬＡＮ経由で他の情報処理装置に接続するためのインタフェースである。ＨＤＤ６４は、プログラムやデータを格納するディスク装置であり、スーパーＩＯ６５は、マウスやキーボードなどの入力装置を接続するためのインタフェースである。ＤＶＩ６６は、液晶表示装置を接続するインタフェースであり、ＯＤＤ６７は、ＤＶＤの読み書きを行う装置である。【００６３】
ＬＡＮインタフェース６３は、ＰＣＩエクスプレス（ＰＣＩｅ）によりＣＰＵ６２に接続され、ＨＤＤ６４及びＯＤＤ６７は、ＳＡＴＡ（Serial  Advanced  Technology  Attachment）によりＣＰＵ６２に接続される。スーパーＩＯ６５は、ＬＰＣ（Low  Pin  Count）によりＣＰＵ６２に接続される。【００６４】
そして、情報処理装置１において実行される復号化プログラムは、ＤＶＤに記憶され、ＯＤＤ６７によってＤＶＤから読出されて情報処理装置１にインストールされる。あるいは、復号化プログラムは、ＬＡＮインタフェース６３を介して接続された他の情報処理システムのデータベースなどに記憶され、これらのデータベースから読出されて情報処理装置１にインストールされる。そして、インストールされた復号化プログラムは、ＨＤＤ６４に記憶され、メインメモリ６１に読み出されてＣＰＵ６２によって実行される。
【符号の説明】
【００６５】
１    情報処理装置
２    隠蔽部
２ａ    記憶部
２ｂ    制御部
２ｃ    対象情報記憶部
３    データ記憶部
３ａ    非隠蔽データ記憶部
３ｂ    隠蔽データ記憶部
２１    認証部
２２    管理部
２２ａ    表示制御部
２２ｂ    登録部
２２ｃ    解除部
２２ｄ    展開表示部
２３    暗号化部
２４    復号化部
２５    受付部
２６    展開部
２７    復号制御部
２８    優先部
４０，４２，４５，４６    ボタン
４１    対話用ウィンドウ
４３    表示ウィンドウ
４７    ［開く］ボタン
４８    アイコン
４９  ダミーアイコン
５０    ファイル
５１    ウィンドウ
５２    スライダ
６１    メインメモリ
６２    ＣＰＵ
６３    ＬＡＮインタフェース
６４    ＨＤＤ
６５    スーパーＩＯ
６６    ＤＶＩ
６７    ＯＤＤ
【図１】
2017006438.tif 000003
【図２】
2017006438.tif 000004
【図３】
2017006438.tif 000005
【図４】
2017006438.tif 000006
【図５】
2017006438.tif 000007
【図６】
2017006438.tif 000008
【図７】
2017006438.tif 000009
【図８】
2017006438.tif 000010
【図９】
2017006438.tif 000011
【図１０】
2017006438.tif 000012
【図１１】
2017006438.tif 000013
【図１２】
2017006438.tif 000014
【図１３】
2017006438.tif 000015
【図１４】
2017006438.tif 000016
【国際調査報告】
2017006438.tif 000017
2017006438.tif 000018